(57)【要約】【課題】管理装置の制御ソフトウェアにより動的に変更される論理システムに割り当てられた物理装置を簡単かつ明確に把握することが可能な自律・仮想化システム及び管理装置の提供。【解決手段】自律・仮想化システムＳは、制御ソフトウェア１０を有する管理装置１と複数の物理装置２とからなる。管理装置１が制御ソフトウェア１０上から複数の物理装置２に割り当てられる論理システム機能を特定する機能特定名称を自動設定する。管理装置１から複数の物理装置２に自動設定した機能特定名称をそれぞれ送信する。複数の物理装置２が管理装置１から送信された機能特定名称をそれぞれ受信する。物理装置２の明示部２０に機能特定名称を表示させることができる。【選択図】図１
2007241365.tif 000002
【特許請求の範囲】
【請求項１】
管理対象となる物理ハードウェアリソースを管理する管理装置と、前記管理装置とネットワークを介して接続される前記物理ハードウェアリソースである複数の物理装置とからなり、自律運用し、または仮想化され、論理システムに割り当てる物理装置を動的に変更するシステムであって、
前記管理装置は、前記複数の物理装置の自律・仮想化を制御する制御ソフトウェアを有すると共に、前記制御ソフトウェア上から前記複数の物理装置に割り当てられる論理システム機能を特定する機能特定名称を自動設定する手段と、自動設定した機能特定名称を前記複数の物理装置にそれぞれ送信する手段とを備えており、前記複数の物理装置は、それぞれ明示部と、前記管理装置から送信された機能特定名称をそれぞれ受信する手段とを備え、受信した機能特定名称を前記明示部に表示することを特徴とする自律・仮想化システム。
【請求項２】
上記管理装置は、上記制御ソフトウェアで同一業務を行う２以上の物理装置に該業務を特定する業務特定名称を自動設定する手段を備え、自動設定した業務特定名称を前記２以上の物理装置にそれぞれ送信し、前記２以上の物理装置は、前記管理装置から送信された業務特定名称をそれぞれ受信し、受信した業務特定名称を上記明示部に表示する請求項１に記載の自律・仮想化システム。
【請求項３】
上記管理装置は、上記制御ソフトウェアでシステム縮退の際に物理装置を動的変更して自動切替えを行う手段と、変更後の物理装置に変更前の物理装置の機能特定名称を自動設定する手段と、前記変更前の物理装置に新たな機能特定名称を自動設定する手段とを備え、前記変更前の物理装置及び前記変更後の物理装置に自動設定した新たな機能特定名称及び機能特定名称をそれぞれ送信する請求項１に記載の自律・仮想化システム。
【請求項４】
上記管理装置は、上記制御ソフトウェアで物理装置と同一業務を行う他の物理装置を追加する手段と、追加した物理装置に新たな業務特定名称を自動設定する手段とを備え、自動設定した新たな業務特定名称を追加した物理装置に送信する請求項１に記載の自律・仮想化システム。
【請求項５】
上記管理装置は、上記制御ソフトウェアから特定する選択対象の任意の物理装置を指定する手段と、指定した物理装置を特定する手段と、特定した物理装置に出力信号を送信する手段とを備えており、上記複数の物理装置は、それぞれ明示ランプと、前記管理装置から送信された出力信号を受信する手段とを備え、指定された物理装置の前記明示ランプを点灯／点滅させる請求項１に記載の自律・仮想化システム。
【請求項６】
管理対象となる物理ハードウェアリソースである複数の物理装置にネットワークを介して接続され、前記複数の物理装置の自律・仮想化を制御する制御ソフトウェアを有すると共に、前記制御ソフトウェア上から前記複数の物理装置に割り当てられる論理システム機能を特定する機能特定名称を自動設定する手段と、自動設定した機能特定名称を前記複数の物理装置にそれぞれ送信する手段とを備えたことを特徴とする管理装置。
【発明の詳細な説明】
【技術分野】
【０００１】
本発明は、論理システムに割り当てる物理ハードウェア（物理装置）を動的に変更する自律・仮想化システム及び管理装置に関するものである。
【背景技術】
【０００２】
現状の自律・仮想化システムでは、個々の物理サーバ，ストレージ等の物理ハードウェアリソースが隠蔽化され、特定の論理システムにどの物理ハードウェアリソースが使用されているのかの把握することが困難である。
【０００３】
従来、ハードウェア構造表示手段を具備したハードウェア構造表示装置が特許文献１に開示されている。
【０００４】
また、運転状態表示装置を備えた電子計算機システムが特許文献２に開示されている。
【０００５】
さらに、コンピュータと、複数のハードディスク装置を具備するＲＡＩＤと、ディスプレイとを有したコンピュータシステムが特許文献３に開示されている。
【特許文献１】特開平５−６７１７３号公報
【特許文献２】特開平６−１２２９６号公報
【特許文献３】特開２００１−１００９４６号公報
【発明の開示】
【発明が解決しようとする課題】
【０００６】
ところが、物理ハードウェアリソースである物理装置（物理ハードウェア）の管理は、一般に、物理装置にラベルを貼るなどの対応がなされているが、自律・仮想化システムにおいては、論理システムに割り当てる物理装置を動的に変更するため、論理システム機能を特定する機能特定名称をラベルで明示しても、実際の論理システムと物理装置との関連の把握が難しい。
【０００７】
また、ハードウェアメンテナンス等の物理装置を特定して保守作業を実施する必要がある場合、制御ソフトウェア上では該当部位が特定できるが、特定した物理装置が、実際はどの物理装置なのか把握することが困難であった。
【０００８】
従来の特許文献１に開示されたハードウェア構造表示装置は、ハードウェア構造表示手段により分類コードがセットされた資源テーブルと接続テーブルを用いてハードウェア構造をデータ系のハードウェア構造とコントロール系のハードウェア構造を区別してディスプレイ上に表示するようにしたものであった。
【０００９】
また、特許文献２に開示された電子計算機システムは、運転状態表示装置に仮想計算機上の各論理プロセッサ毎の状態情報を表示できるようにしたものであった。
【００１０】
さらに、特許文献３に開示されたコンピュータシステムは、各ハードディスク装置の初期設定時における物理的な位置と、起動時における物理的な位置とが異なる場合のみ、各ハードディスク装置の初期設定時および起動時における物理的な位置をＢＩＯＳでディスプレイに表示するようにしたものであった。
【００１１】
そこで、本発明の目的は、上記の事情に鑑みてなされたものであって、管理装置の制御ソフトウェアにより動的に変更される論理システムに割り当てられた物理装置を簡単かつ明確に把握することが可能な自律・仮想化システム及び管理装置を提供することにある。
【課題を解決するための手段】
【００１２】
本発明の自律・仮想化システムは、管理対象となる物理ハードウェアリソースを管理する管理装置と、前記管理装置とネットワークを介して接続される前記物理ハードウェアリソースである複数の物理装置とからなり、自律運用し、または仮想化され、論理システムに割り当てる物理装置を動的に変更するシステムであって、前記管理装置が、前記複数の物理装置の自律・仮想化を制御する制御ソフトウェアを有すると共に、前記制御ソフトウェア上から前記複数の物理装置に割り当てられる論理システム機能を特定する機能特定名称を自動設定する手段と、自動設定した機能特定名称を前記複数の物理装置にそれぞれ送信する手段とを備えており、前記複数の物理装置が、それぞれ明示部と、前記管理装置から送信された機能特定名称をそれぞれ受信する手段とを備え、受信した機能特定名称を前記明示部に表示することを特徴とする構成を有するものである。
【００１３】
本発明の自律・仮想化システムは、上記管理装置が、上記制御ソフトウェアで同一業務を行う２以上の物理装置に該業務を特定する業務特定名称を自動設定する手段を備え、自動設定した業務特定名称を前記２以上の物理装置にそれぞれ送信し、前記２以上の物理装置が、前記管理装置から送信された業務特定名称をそれぞれ受信し、受信した業務特定名称を上記明示部に表示するようになっている。
【００１４】
本発明の自律・仮想化システムは、上記管理装置が、上記制御ソフトウェアでシステム縮退の際に物理装置を動的変更して自動切替えを行う手段と、変更後の物理装置に変更前の物理装置の機能特定名称を自動設定する手段と、前記変更前の物理装置に新たな機能特定名称を自動設定する手段とを備え、前記変更前の物理装置及び前記変更後の物理装置に自動設定した新たな機能特定名称及び機能特定名称をそれぞれ送信するようになっている。
【００１５】
本発明の自律・仮想化システムは、上記管理装置が、上記制御ソフトウェアで物理装置と同一業務を行う他の物理装置を追加する手段と、追加した物理装置に新たな業務特定名称を自動設定する手段とを備え、自動設定した新たな業務特定名称を追加した物理装置に送信するようになっている。
【００１６】
本発明の自律・仮想化システムは、上記管理装置が、上記制御ソフトウェアから特定する選択対象の任意の物理装置を指定する手段と、指定した物理装置を特定する手段と、特定した物理装置に出力信号を送信する手段とを備えており、上記複数の物理装置が、それぞれ明示ランプと、前記管理装置から送信された出力信号を受信する手段とを備え、指定された物理装置の前記明示ランプを点灯／点滅させるようになっている。
【００１７】
本発明の管理装置は、管理対象となる物理ハードウェアリソースである複数の物理装置にネットワークを介して接続され、前記複数の物理装置の自律・仮想化を制御する制御ソフトウェアを有すると共に、前記制御ソフトウェア上から前記複数の物理装置に割り当てられる論理システム機能を特定する機能特定名称を自動設定する手段と、自動設定した機能特定名称を前記複数の物理装置にそれぞれ送信する手段とを備えたことを特徴とする構成を有するものである。
【発明の効果】
【００１８】
以上に述べたように、本発明によれば、管理装置の制御ソフトウェアにより動的に変更される論理システムに割り当てられた物理装置を簡単かつ明確に把握することが可能な自律・仮想化システム及び管理装置を得ることができる。
【発明を実施するための最良の形態】
【００１９】
以下、本発明を実施するための最良の形態を図面を参照して詳細に説明する。
【実施例】
【００２０】
本発明の自律・仮想化システムＳは、管理対象となる物理サーバ，ストレージ等の物理ハードウェアリソースを管理する管理装置１と、管理装置１とネットワーク３を介して接続される物理ハードウェアリソースである複数の物理装置２（２ａ〜２ｆ）とからなり、自律運用し、または仮想化され、論理システムに割り当てる物理装置２を動的に変更するシステムである。
【００２１】
本発明の自律・仮想化システムＳは、管理装置１が、複数の物理装置２の自律・仮想化を制御する制御ソフトウェア１０を有すると共に、制御ソフトウェア１０上から複数の物理装置２に割り当てられる論理システム機能を特定する機能特定名称を自動設定する手段と、自動設定した機能特定名称を複数の物理装置２にそれぞれ送信する手段とを備えている。
【００２２】
本発明の自律・仮想化システムＳは、複数の物理装置２が、それぞれ明示部２０と、管理装置１から送信された機能特定名称をそれぞれ受信する手段とを備えている。
【００２３】
本発明の自律・仮想化システムＳは、複数の物理装置２が、受信した機能特定名称を明示部２０に表示するようになっている。
【００２４】
本発明の自律・仮想化システムＳは、管理装置１が、制御ソフトウェア１０で同一業務を行う２以上の物理装置２に該業務を特定する業務特定名称を自動設定する手段を備えている。
【００２５】
本発明の自律・仮想化システムＳは、管理装置１が、自動設定した業務特定名称を２以上の物理装置２にそれぞれ送信するようになっている。
【００２６】
本発明の自律・仮想化システムＳは、２以上の物理装置２が、管理装置１から送信された業務特定名称をそれぞれ受信し、受信した業務特定名称を明示部２０に表示するようになっている。
【００２７】
本発明の自律・仮想化システムＳは、管理装置１が、制御ソフトウェア１０でシステム縮退の際に物理装置２を動的変更して自動切替えを行う手段と、変更後の物理装置２に変更前の物理装置２の機能特定名称を自動設定する手段と、変更前の物理装置２に新たな機能特定名称を自動設定する手段とを備えている。
【００２８】
本発明の自律・仮想化システムＳは、管理装置１が、変更前の物理装置２及び変更後の物理装置２に自動設定した新たな機能特定名称及び機能特定名称をそれぞれ送信するようになっている。
【００２９】
本発明の自律・仮想化システムＳは、管理装置１が、制御ソフトウェア１０で物理装置２と同一業務を行う他の物理装置２を追加する手段と、追加した物理装置２に新たな業務特定名称を自動設定する手段とを備えている。
【００３０】
本発明の自律・仮想化システムＳは、管理装置１が、自動設定した新たな業務特定名称を追加した物理装置２に送信するようになっている。
【００３１】
本発明の自律・仮想化システムＳは、管理装置１が、制御ソフトウェア１０から特定する選択対象の任意の物理装置２を指定する手段と、指定した物理装置２を特定する手段と、特定した物理装置２に出力信号を送信する手段とを備えている。
【００３２】
本発明の自律・仮想化システムＳは、複数の物理装置２が、それぞれ明示ランプ２１と、管理装置１から送信された出力信号を受信する手段とを備えている。
【００３３】
本発明の自律・仮想化システムＳは、複数の物理装置２が、指定された物理装置２の明示ランプ２１を点灯／点滅させるようになっている。
【００３４】
本発明の管理装置は、管理対象となる物理サーバ，ストレージ等の物理ハードウェアリソースである複数の物理装置２（２ａ〜２ｆ）にネットワーク３を介して接続されている。
【００３５】
本発明の管理装置は、複数の物理装置２の自律・仮想化を制御する制御ソフトウェア１０を有している。
【００３６】
本発明の管理装置は、制御ソフトウェア１０上から複数の物理装置２に割り当てられる論理システム機能を特定する機能特定名称を自動設定する手段と、自動設定した機能特定名称を複数の物理装置２にそれぞれ送信する手段とを備えている。
【００３７】
図１は、本発明の実施例に係る自律・仮想化システムを示すシステム構成図である。
自律・仮想化システムＳは、図１に示すように、管理装置１と複数の物理装置２ａ〜２ｆとからなる。
【００３８】
管理装置１は、制御ソフトウェア１０を有している。
【００３９】
管理装置１は、ネットワーク３に接続されている。
【００４０】
複数の物理装置２ａ〜２ｆは、明示部２０及び明示ランプ２１をそれぞれ備えている。
【００４１】
サーバである物理装置２ａ，２ｂ，２ｃ，２ｄ及びストレージである物理装置２ｅ，２ｆは、ネットワーク３にそれぞれ接続されている。
【００４２】
管理装置１と複数の物理装置２ａ〜２ｆとは、ネットワーク３で接続されている。
ネットワーク３には、インターネット、または、クロスバススイッチ等のローカルバス、無線が含まれる。
【００４３】
本発明の自律・仮想化システムＳでは、複数の物理装置２ａ〜２ｆの自律・仮想化を制御する管理装置１の制御ソフトウェア１０上から、物理ハードウェアリソースである各物理装置２ａ〜２ｆに論理システム機能を特定する機能特定名称付けを行い、自動かつ動的にその機能特定名称を各物理装置２ａ〜２ｆの明示部２０にそれぞれ表示させることで、論理システムと複数の物理装置２ａ〜２ｆとの関連付けを明確にする。
【００４４】
また、本発明の自律・仮想化システムＳでは、管理装置１の制御ソフトウェア１０上から特定の物理装置２を選択し、選択した物理装置２の明示ランプ２１を点灯または点滅させることにより、選択した物理装置２の場所が迅速かつ簡単に特定できるようになる。
【００４５】
なお、本発明の自律・仮想化システムＳは、サービスプラットホーム・サポートサービス，プラットホーム運用保守サービス等への適用が可能である。
【００４６】
図２は、本発明の実施例に係る自律・仮想化システムにおけるパターン１となる業務を特定する業務特定名称の自動設定時の処理の流れを説明するフローチャート図である。
パターン１では、まず、管理装置１の制御ソフトウェア１０で同一業務を行う２以上の物理装置２ａ，２ｂ，２ｃに該業務を特定する業務特定名称（例えば、在庫管理サーバ）をそれぞれ自動で設定し（ステップＳ１００）、次いで、管理装置１が自動で設定した業務特定名称を物理装置２ａ，２ｂ，２ｃにそれぞれ送信する。
【００４７】
次いで、物理装置２ａ，２ｂ，２ｃが管理装置１から送信された業務特定名称をそれぞれ受信し、その後、物理装置２ａ，２ｂ，２ｃの明示部２０に受信した業務特定名称として在庫管理サーバをそれぞれ表示する（ステップＳ１０１）。
【００４８】
図３は、本発明の実施例に係る自律・仮想化システムにおけるパターン２となる論理システムに割り当てる物理装置の動的変更時の処理の流れを説明するフローチャート図である。
パターン２では、まず、管理装置１の制御ソフトウェア１０で物理装置２ａから物理装置２ｄに自動切替えを行い（ステップＳ２００）、次いで、管理装置１の制御ソフトウェア１０で変更後の物理装置２ｄに変更前の物理装置２ａの論理システム機能を特定する機能特定名称を自動設定し（ステップＳ２０１）、次いで、管理装置１の制御ソフトウェア１０で変更前の物理装置２ａに新たな機能特定名称を自動設定し（ステップＳ２０２）、次いで、管理装置１が自動設定した新たな機能特定名称及び機能特定名称を変更前の物理装置２ａ及び変更後の物理装置２ｄにそれぞれ送信する。
【００４９】
次いで、変更前の物理装置２ａ及び変更後の物理装置２ｄが管理装置１から送信された新たな機能特定名称及び機能特定名称をそれぞれ受信し、その後、物理装置２ａ，２ｄの明示部２０に受信した新たな機能特定名称，機能特定名称をそれぞれ表示する（ステップＳ２０３）。
【００５０】
図４は、本発明の実施例に係る自律・仮想化システムにおけるパターン３となる論理システムに割り当てる物理装置の動的追加時の処理の流れを説明するフローチャート図である。
パターン３では、まず、管理装置１の制御ソフトウェア１０で同一業務を行う物理装置２ａに他の物理装置２ｂを追加し（ステップＳ３００）、次いで、管理装置１の制御ソフトウェア１０で追加した物理装置２ｂに該業務を特定する新たな業務特定名称（例えば、在庫管理サーバ）を自動で設定し（ステップＳ３０１）、次いで、管理装置１が自動で設定した新たな業務特定名称を追加した物理装置２ｂに送信する。
【００５１】
次いで、追加した物理装置２ｂが管理装置１から送信された新たな業務特定名称を受信し、その後、追加した物理装置２ｂの明示部２０に受信した新たな業務特定名称として在庫管理サーバを表示する（ステップＳ３０２）。
【００５２】
図５は、本発明の実施例に係る自律・仮想化システムにおけるパターン４となる論理システム機能を特定する機能特定名称の手動設定時の処理の流れを説明するフローチャート図である。
パターン４では、まず、管理者が管理装置１の制御ソフトウェア１０に複数の物理装置２ａ，２ｂ，２ｃ，２ｄ，２ｅ，２ｆの論理システム機能を特定する機能特定名称をそれぞれ入力して手動で設定し（ステップＳ４００）、次いで、管理装置１が手動で設定した機能特定名称を複数の物理装置２ａ，２ｂ，２ｃ，２ｄ，２ｅ，２ｆにそれぞれ送信する。
【００５３】
次いで、複数の物理装置２ａ，２ｂ，２ｃ，２ｄ，２ｅ，２ｆが管理装置１から送信された機能特定名称をそれぞれ受信し、その後、複数の物理装置２ａ，２ｂ，２ｃ，２ｄ，２ｅ，２ｆの明示部２０に受信した機能特定名称をそれぞれ表示する（ステップＳ４０１）。
【００５４】
図６は、本発明の実施例に係る自律・仮想化システムにおける指定した物理装置特定時の処理の流れを説明するフローチャート図である。
指定した物理装置特定時の処理は、まず、保守作業者が管理装置１の制御ソフトウェア１０上から特定する選択対象の物理装置２ａを画面上のボタン押下により指定し（ステップＳ５００）、次いで、管理装置１が制御ソフトウェア１０上から指定した物理装置２ａを特定し、次いで、管理装置１が特定した物理装置２ａに出力信号を送信する。
【００５５】
次いで、物理装置２ａが管理装置１から送信された出力信号を受信し、その後、指定された物理装置２ａの明示ランプ２１が受信した出力信号により点灯／点滅する（ステップＳ５０１）。
【００５６】
以上実施例で説明したが、本発明の特徴は、以下の通りである。
管理装置１の制御ソフトウェア１０で設定（手動・自動）した任意の物理装置２の論理システム機能を特定する機能特定名称を、物理装置２に設置された明示部２０に表示させると共に、管理装置１の制御ソフトウェア１０上から特定する対象の物理装置２を指定（画面上のボタン押下）することにより、指定された物理装置２に設置された明示ランプ２１を点灯または点滅させる。
【００５７】
したがって、本発明の自律・仮想化システムＳによれば、管理装置１の制御ソフトウェア１０上から、複数の物理装置２に論理システム機能を特定する機能特定名称，業務を特定する業務特定名称などの名称付けを行い、その名称を複数の物理装置２の明示部２０に自動かつ動的にそれぞれ表示させることにより、論理システムと複数の物理装置２との関連付けを簡単かつ明確に把握することができる。
【００５８】
また、管理装置１の制御ソフトウェア１０上から特定する選択対象の任意の物理装置２を指定し、指定された物理装置２の明示ランプ２１を点灯／点滅させることにより、保守作業者は、指定された物理装置２の場所を目視で迅速かつ簡単に特定することができる。
【００５９】
なお、上記実施例では、物理装置の明示ランプを点灯／点滅させるようにしたが、指定された物理装置の場所を音で報知するようにしても良い。
【図面の簡単な説明】
【００６０】
【図１】本発明の実施例に係る自律・仮想化システムを示すシステム構成図。
【図２】本発明の実施例に係る自律・仮想化システムにおけるパターン１となる業務を特定する業務特定名称の自動設定時の処理の流れを説明するフローチャート図。
【図３】本発明の実施例に係る自律・仮想化システムにおけるパターン２となる論理システムに割り当てる物理装置の動的変更時の処理の流れを説明するフローチャート図。
【図４】本発明の実施例に係る自律・仮想化システムにおけるパターン３となる論理システムに割り当てる物理装置の動的追加時の処理の流れを説明するフローチャート図。
【図５】本発明の実施例に係る自律・仮想化システムにおけるパターン４となる論理システム機能を特定する機能特定名称の手動設定時の処理の流れを説明するフローチャート図。
【図６】本発明の実施例に係る自律・仮想化システムにおける指定した物理装置特定時の処理の流れを説明するフローチャート図。
【符号の説明】
【００６１】
１  管理装置
２，２ａ，２ｂ，２ｃ，２ｄ，２ｅ，２ｆ  物理装置
３  ネットワーク
１０  制御ソフトウェア
２０  明示部
２１  明示ランプ
Ｓ  自律・仮想化システム
【図１】
2007241365.tif 000003
【図２】
2007241365.tif 000004
【図３】
2007241365.tif 000005
【図４】
2007241365.tif 000006
【図５】
2007241365.tif 000007
【図６】
2007241365.tif 000008